(57)【特許請求の範囲】
【請求項１】
車両の進行方向前方を撮像する撮像部と、
前記撮像部によって撮像された前記車両の走行路面の画像データに基づいて、前記車両の車線からの逸脱、及び、前記車両の車線への復帰を検出する検出部と、
前記検出部によって前記車両の車線からの逸脱が検出された場合に第１警報を発する警報部と、
前記警報部によって前記第１警報が発せられてから前記検出部によって前記車両の車線への復帰が検出されるまでの時間を計測する計測部と、
前記計測部によって計測された、前記警報部によって前記第１警報が発せられてから前記検出部によって前記車両の車線への復帰が検出されるまでの時間を、前記第１警報に対する運転者の反応時間として記録する記録部とを備えることを特徴とする、
運転記録装置。
【請求項２】
前記記録部は、前記車両の運転者を識別する運転者識別情報と共に前記反応時間を記録する、
請求項１に記載の運転記録装置。
【請求項３】
前記警報部は、前記計測部によって計測された、前記警報部によって前記第１警報が発せられてからの経過時間が、予め設定された第１所定時間を超えた場合に前記第１警報とは異なる第２警報を発し、
前記記録部は、前記計測部によって計測された、前記警報部によって前記第１警報が発せられてからの経過時間が、予め設定された第２所定時間を超えた場合に、当該経過時間を記録すると共に、前記車両が車線から逸脱する車線逸脱イベントが発生した旨を記録する、
請求項１又は請求項２に記載の運転記録装置。
【請求項４】
前記記録部に記録された前記反応時間に関する情報を、前記車両の外部に設けられる外部機器に送信する通信部を備える、
請求項１乃至請求項３のいずれか１項に記載の運転記録装置。
【請求項５】
前記通信部は、前記外部機器から、当該外部機器に送信した前記反応時間に関する情報に基づいた指令情報を受信し、
前記警報部は、前記通信部によって受信された前記指令情報に基づいて前記第１警報とは異なる第３警報を発する、
請求項４に記載の運転記録装置。
【請求項６】
前記計測部は、前記警報部によって前記第１警報が発せられてから前記検出部によって前記車両の車線への復帰が検出されるまでの間に運転者の操作に応じた解除条件が成立した場合、前記警報部によって前記第１警報が発せられてから当該解除条件が成立するまでの時間を計測し、
前記記録部は、前記計測部によって計測された、前記警報部によって前記第１警報が発せられてから前記解除条件が成立するまでの時間を、前記反応時間として記録する、
請求項１乃至請求項５のいずれか１項に記載の運転記録装置。
【発明の詳細な説明】
【技術分野】
【０００１】
本発明は、運転記録装置に関する。
【背景技術】
【０００２】
車両に搭載される従来の運転記録装置として、例えば、特許文献１には、特定の挙動を検知した場合に、揮発性メモリに記憶されている画像のうち車両逸脱を判定したとき以降の画像を不揮発性メモリへ記録するドライブレコーダが開示されている。
【先行技術文献】
【特許文献】
【０００３】
【特許文献１】特開２０１２−２２６１０号公報
【発明の概要】
【発明が解決しようとする課題】
【０００４】
ところで、上述の特許文献１に記載のドライブレコーダは、上記構成により事後的に特定の挙動の発生原因を特定しやすくしているが、例えば、より詳細な運転評価を行うべく、記録する項目に更なる改善の余地がある。
【０００５】
本発明は、上記の事情に鑑みてなされたものであって、より詳細な運転評価を実現することができる運転記録装置を提供することを目的とする。
【課題を解決するための手段】
【０００６】
上記目的を達成するために、本発明に係る運転記録装置は、車両の進行方向前方を撮像する撮像部と、前記撮像部によって撮像された前記車両の走行路面の画像データに基づいて、前記車両の車線からの逸脱、及び、前記車両の車線への復帰を検出する検出部と、前記検出部によって前記車両の車線からの逸脱が検出された場合に第１警報を発する警報部と、前記警報部によって前記第１警報が発せられてから前記検出部によって前記車両の車線への復帰が検出されるまでの時間を計測する計測部と、前記計測部によって計測された、前記警報部によって前記第１警報が発せられてから前記検出部によって前記車両の車線への復帰が検出されるまでの時間を、前記第１警報に対する運転者の反応時間として記録する記録部とを備えることを特徴とする。
【０００７】
また、上記運転記録装置では、前記記録部は、前記車両の運転者を識別する運転者識別情報と共に前記反応時間を記録するものとすることができる。
【０００８】
また、上記運転記録装置では、前記警報部は、前記計測部によって計測された、前記警報部によって前記第１警報が発せられてからの経過時間が、予め設定された第１所定時間を超えた場合に前記第１警報とは異なる第２警報を発し、前記記録部は、前記計測部によって計測された、前記警報部によって前記第１警報が発せられてからの経過時間が、予め設定された第２所定時間を超えた場合に、当該経過時間を記録すると共に、前記車両が車線から逸脱する車線逸脱イベントが発生した旨を記録する。
【０００９】
また、上記運転記録装置では、前記記録部に記録された前記反応時間に関する情報を、前記車両の外部に設けられる外部機器に送信する通信部を備えるものとすることができる。
【００１０】
また、上記運転記録装置では、前記通信部は、前記外部機器から、当該外部機器に送信した前記反応時間に関する情報に基づいた指令情報を受信し、前記警報部は、前記通信部によって受信された前記指令情報に基づいて前記第１警報とは異なる第３警報を発するものとすることができる。
【００１１】
また、上記運転記録装置では、前記計測部は、前記警報部によって前記第１警報が発せられてから前記検出部によって前記車両の車線への復帰が検出されるまでの間に運転者の操作に応じた解除条件が成立した場合、前記警報部によって前記第１警報が発せられてから当該解除条件が成立するまでの時間を計測し、前記記録部は、前記計測部によって計測された、前記警報部によって前記第１警報が発せられてから前記解除条件が成立するまでの時間を、前記反応時間として記録するものとすることができる。
【発明の効果】
【００１２】
本発明に係る運転記録装置は、車両の車線逸脱が検出され警報が発せられてから当該車両の車線復帰が検出されるまでの時間を計測し、反応時間として記録する。この結果、運転記録装置は、運転評価に供する新規の記録項目として、車線逸脱し警報が発せられてから車線復帰するまでの反応時間を記録することができるので、当該反応時間を用いてより詳細な運転評価を実現することができる、という効果を奏する。
【図面の簡単な説明】
【００１３】
【図１】図１は、実施形態に係る運転記録装置を表す概略構成図である。
【図２】図２は、実施形態に係る運転記録装置による制御フローの一例を表すフローチャートである。
【図３】図３は、実施形態に係る運転記録装置によって記録された情報の出力の一例を表す模式図である。
【発明を実施するための形態】
【００１４】
以下に、本発明に係る実施形態を図面に基づいて詳細に説明する。なお、この実施形態によりこの発明が限定されるものではない。また、下記実施形態における構成要素には、当業者が置換可能かつ容易なもの、あるいは実質的に同一のものが含まれる。
【００１５】
［実施形態］
図１は、実施形態に係る運転記録装置を表す概略構成図である。図２は、実施形態に係る運転記録装置による制御フローの一例を表すフローチャートである。図３は、実施形態に係る運転記録装置によって記録された情報の出力の一例を表す模式図である。
【００１６】
図１に示す本実施形態に係る運転記録装置１は、車両２に搭載され、当該車両２の走行中に、当該車両２の運転に関わる種々の情報を記録するドライブレコーダである。本実施形態の運転記録装置１は、後工程で行われる運転評価等に供する新規の記録項目として、車両２の走行中に撮像される画像（映像）等に加えて、さらに、車両２の車線逸脱時に発せられる警報に対する運転者の反応時間を計測し記録する。これにより、運転記録装置１は、例えば、当該運転記録装置１によって記録された項目を用いてより詳細な運転評価を可能とするものである。本実施形態の運転記録装置１は、図１に示す構成要素を含む車載機器として構成される。当該運転記録装置１は、車両２に後付けで搭載可能なものであってもよいし、車両２の製造時に当該車両２に組み込まれるものであってもよい。なおここで、運転評価とは、車両２の運転者による運転操作に関する評価だけでなく、車両２の運行管理に関する評価等を広く含む概念である。
【００１７】
具体的には、運転記録装置１は、図１に示すように、撮像部としてのカメラ３と、通信部としての通信モジュール４と、ＧＰＳ（Ｇｌｏｂａｌ  Ｐｏｓｉｔｉｏｎｉｎｇ  Ｓｙｓｔｅｍ、全地球測位システム）受信機５と、車両状態検出装置６と、ＲＡＭ（Ｒａｎｄｏｍ  Ａｃｃｅｓｓ  Ｍｅｍｏｒｙ）７と、ＲＯＭ（Ｒｅａｄ  Ｏｎｌｙ  Ｍｅｍｏｒｙ）８と、警報部としてのスピーカ９と、マイク１０と、記録部としてのメモリ１１と、制御部としてのＣＰＵ（Ｃｅｎｔｒａｌ  Ｐｒｏｃｅｓｓｉｎｇ  Ｕｎｉｔ）１２とを備える。
【００１８】
カメラ３は、当該運転記録装置１が搭載される車両２の進行方向前方を撮像し、車両２の走行路面を撮像するものである。カメラ３は、車両２の走行路面を連続的に撮像できるように、例えば、ルームミラーの近傍に所定の俯角をもって固定されている。カメラ３は、車両２の走行方向前方側を撮像するものであり、車両２から前方に所定距離だけ遠方の位置まで撮像することができる。カメラ３の画角は、例えば、当該カメラ３が撮像した画像において、車両２のボンネットの端部が映り、かつ、車両２の進行方向前方側の走行路面の車線が所定の領域に映るように設定される。カメラ３は、単眼カメラであってもよいし、ステレオカメラであってもよい。また、カメラ３が撮像する画像は、モノクロであってもよいしカラーであってもよい。カメラ３は、ＣＰＵ１２と電気的に接続されており、撮像した画像の画像データをＣＰＵ１２に出力する。
【００１９】
ここで、走行路面の車線とは、走行路面に描かれた白線等の車線境界線によって区画された領域であり、車両２が走行する走行レーンである。
【００２０】
通信モジュール４は、車両２の外部に設けられる外部機器、ここでは、後方システム１００との間で情報を送受信するものである。通信モジュール４は、種々の方式の無線通信によって後方システム１００が備える通信モジュール１０１との間で相互に情報を授受する。通信モジュール４は、ＣＰＵ１２と電気的に接続されており、当該ＣＰＵ１２との間で通信に係る種々の情報を入出力する。
【００２１】
ここで、後方システム１００は、運転記録装置１が記録した車両２の運転に関わる種々の情報を用いて、様々な後工程を行うためのシステムである。後方システム１００は、例えば、一般乗用旅客自動車運送事業、特定旅客自動車運送事業、貨物自動車事業等の種々の事業者の事務所等に配置される。運転記録装置１は、典型的には、当該事業者が管理するタクシー、バス、輸送トラック等に搭載される。そして、後方システム１００は、運転記録装置１が記録した車両２の運転に関わる種々の情報が入力され、当該運転に関わる種々の情報に基づいて事業者の管理者等の操作にしたがって車両２の運行管理を含む種々の運転評価を行う。
【００２２】
ＧＰＳ受信機５は、車両２の位置情報として、車両２のＧＰＳ情報（緯度経度座標）を受信するものである。ＧＰＳ受信機５は、ＧＰＳ衛星が配信する車両２のＧＰＳ情報を表すＧＰＳ信号を受信する。ＧＰＳ受信機５は、ＣＰＵ１２と電気的に接続されており、受信したＧＰＳ信号に応じたＧＰＳ情報をＣＰＵ１２に出力する。
【００２３】
車両状態検出装置６は、当該運転記録装置１が搭載される車両２の状態を検出するものである。車両状態検出装置６は、例えば、車両２の車速を検出する車速センサ、車両２に作用する加速度を検出する加速度センサ、車両２の操舵角を検出する操舵角センサ、運転者によるアクセルペダルの操作量（アクセル踏み込み量）に相当するアクセル開度を検出するアクセルセンサ、運転者によるブレーキペダルの操作量（ブレーキ踏み込み量）を検出するブレーキセンサ、運転者による車両２の方向指示器（ウインカ）の操作の有無、及び、指示方向を検出するウインカスイッチ等を含んで構成される。車両状態検出装置６は、ＣＰＵ１２と電気的に接続されており、車両２の車両情報として、車両２の車速、加速度、操舵角、アクセル踏み込み量、ブレーキ踏み込み量、方向指示器の動作状態等をＣＰＵ１２に出力する。なお、車両状態検出装置６は、車両２の全体を統括的に制御するＥＣＵ（Ｅｌｅｃｔｒｏｎｉｃ  Ｃｏｎｔｒｏｌ  Ｕｎｉｔ）と電気的に接続され、当該ＥＣＵと連携して種々の車両情報を検出するようにしてもよい。
【００２４】
ＲＡＭ７は、ＣＰＵ１２と電気的に接続されており、例えば、ＣＰＵ１２の演算結果を一時記憶する。
【００２５】
ＲＯＭ８は、ＣＰＵ１２と電気的に接続されており、例えば、ＣＰＵ１２で実行される所定の制御プログラム等を予め記憶している。
【００２６】
スピーカ９は、車両２の乗員に対して種々の警報を発する出力装置である。スピーカ９は、聴覚情報（音声情報、音情報）を出力する聴覚情報（音声）出力装置であり、当該聴覚情報を出力することで種々の警報を発する。スピーカ９は、例えば、車両２の車室内に設けられたナビゲーションシステムのスピーカ等が流用されてもよい。スピーカ９は、ＣＰＵ１２と電気的に接続されており、当該ＣＰＵ１２によってその駆動が制御される。
【００２７】
マイク１０は、音声情報、音情報を入力する入力装置である。マイク１０は、ＣＰＵ１２と電気的に接続されており、外部から入力された音声情報、音情報をＣＰＵ１２に出力する。
【００２８】
メモリ１１は、当該運転記録装置１で取得される情報を記録する記録媒体である。メモリ１１は、種々のインターフェースを介して当該運転記録装置１に脱着可能な記録媒体（リムーバブルメディア）である。メモリ１１は、例えば、様々な形式のメモリカードを用いることができる。また、メモリ１１は、種々のインターフェースによって構成される後方システム１００のＩ／Ｏ部１０２に対しても脱着可能に構成される。メモリ１１は、機能概念的に、基本情報記録部１１ａ、運転者識別情報記録部１１ｂ、車両識別情報記録部１１ｃ、画像データ記録部１１ｄ、反応時間記録部１１ｅ、イベント記録部１１ｆ等を含んで構成される。
【００２９】
基本情報記録部１１ａは、基本情報として、種々の情報を記録する際の記録日時、車両情報、車両２の位置情報等を記録する部分である。
【００３０】
運転者識別情報記録部１１ｂは、車両２を運転する運転者を識別するための運転者識別情報を記録する部分である。ここで、運転者識別情報は、例えば、車両２の運転者となる者に対して個別に付与され、当該各運転者を個別に特定するための情報である。運転者識別情報は、例えば、車両２の運転者となる者に対して個別に付与される各メモリ１１に個別に割り当てられ、予め運転者識別情報記録部１１ｂに記録されている。
【００３１】
車両識別情報記録部１１ｃは、運転記録装置１が搭載されている車両２を識別するための車両識別情報を記録する部分である。ここで、車両識別情報は、例えば、運転記録装置１が適用される各車両２に対して個別に付与され、当該各車両２を個別に特定するための情報である。車両識別情報は、例えば、各車両２に対して個別に搭載される各運転記録装置１に個別に割り当てられ、予めＲＯＭ８に記憶されている。そして、ＲＯＭ８に記憶されている各車両識別情報は、メモリ１１が運転記録装置１に接続された際に、車両識別情報記録部１１ｃに格納され記録される。
【００３２】
画像データ記録部１１ｄは、カメラ３によって撮像された画像データを記録する部分である。
【００３３】
反応時間記録部１１ｅは、車両２の車線逸脱時に発せられる警報に対する運転者の反応時間を記録する部分である。当該反応時間の計測については、後で詳細に説明する。
【００３４】
イベント記録部１１ｆは、運転記録装置１が搭載された車両２において発生した種々のイベントを記録する部分である。当該イベントについては、後で詳細に説明する。
【００３５】
ＣＰＵ１２は、運転記録装置１の各部を統括的に制御する中央演算処理装置である。ＣＰＵ１２は、周知のマイクロコンピュータを主体とする電子回路を含んで構成される。ＣＰＵ１２は、上述のようにカメラ３、通信モジュール４、ＧＰＳ受信機５、車両状態検出装置６、ＲＡＭ７、スピーカ９、マイク１０、メモリ１１等が種々のインターフェースを介して電気的に接続され、これらとの間で種々の電気信号の入出力を行う。また、ＣＰＵ１２は、ＲＯＭ８に記憶されている所定のプログラムを実行し、運転記録装置１の機能を実現するために必要な様々な処理を行う。ＣＰＵ１２は、例えば、車両２が備えるイグニションスイッチから出力されるＩＧＮオン信号を停止状態において受け付けると、起動して運転記録装置１を起動状態にする一方、イグニションスイッチから出力されるＩＧＮオフ信号を起動状態において受け付けると、動作を停止して運転記録装置１を停止状態にする。ＣＰＵ１２は、機能概念的に、画像データ取得部１２ａ、通信制御部１２ｂ、ＧＰＳ情報（位置情報）取得部１２ｃ、車両情報取得部１２ｄ、記録処理部１２ｅ、検出部としての車線逸脱／車線復帰検出部１２ｆ、警報制御部１２ｇ、計測部としての時間計測部１２ｈ、イベント判定部１２ｉ等を含んで構成される。
【００３６】
画像データ取得部１２ａは、カメラ３が撮像した走行路面の画像データを所定のサンプリング周期で連続的に取得する部分である。
【００３７】
通信制御部１２ｂは、通信モジュール４を介して種々の情報の送受信を制御する部分である。
【００３８】
ＧＰＳ情報取得部１２ｃは、車両２の位置を表す位置情報として、ＧＰＳ受信機５が受信した車両２のＧＰＳ情報を取得する部分である。ＧＰＳ情報取得部１２ｃは、例えば、取得したＧＰＳ情報と、データベース（不図示）に記憶された道路情報等の地図情報とに基づいて、車両２の走行地点（現在位置）や走行方向を演算できる。
【００３９】
車両情報取得部１２ｄは、車両状態検出装置６が検出した車両２の車両情報（車速、加速度、操舵角、アクセル踏み込み量、ブレーキ踏み込み量、方向指示器の動作状態等）を取得する部分である。
【００４０】
記録処理部１２ｅは、メモリ１１の各部に種々の情報を格納し記録させる処理を行う部分である。記録処理部１２ｅは、例えば、各種情報を所定のサンプリング周期で関連付けてメモリ１１の各部に格納し記録させる。記録処理部１２ｅは、記録日時、車両情報取得部１２ｄが取得した車両２の車両情報（車速、加速度、操舵角、アクセル踏み込み量、ブレーキ踏み込み量、方向指示器の動作状態等）、ＧＰＳ情報取得部１２ｃが取得した車両２の位置情報（ＧＰＳ情報）を基本情報記録部１１ａに格納し記録させる。記録処理部１２ｅは、ＲＯＭ８に記憶されている車両識別情報を車両識別情報記録部１１ｃに格納し記録させる。記録処理部１２ｅは、画像データ取得部１２ａが取得した画像データを画像データ記録部１１ｄに格納し記録させる。さらに、本実施形態の記録処理部１２ｅは、後述するように時間計測部１２ｈが計測した時間を、車両２の車線逸脱時に発せられる第１警報に対する運転者の反応時間（以下、単に「反応時間」という場合がある。）として反応時間記録部１１ｅに格納し記録させる。また、記録処理部１２ｅは、後述するようにイベント判定部１２ｉが判定したイベントに関する情報をイベント記録部１１ｆに格納し記録させる。
【００４１】
車線逸脱／車線復帰検出部１２ｆは、カメラ３によって撮像された走行路面の画像データに基づいて、車両２の車線からの逸脱（以下、単に「車線逸脱」という場合がある。）、及び、車両２の車線への復帰（以下、単に「車線復帰」という場合がある。）を検出する部分である。車線逸脱／車線復帰検出部１２ｆは、種々の手法を用いて、車両２の車線逸脱、及び、車線復帰を検出すればよい。車線逸脱／車線復帰検出部１２ｆは、例えば、画像データ取得部１２ａが取得した画像データに対して周知のエッジ処理やパターンマッチングを行うことで車線の白線を認識する。車線逸脱／車線復帰検出部１２ｆは、認識した白線に対する車両２の相対位置を演算し、当該車両２が走行中の車線に対する当該車両２の相対位置を演算する。そして、車線逸脱／車線復帰検出部１２ｆは、当該車両２が走行中の車線に対する当該車両２の相対位置に基づいて、車両２の車線逸脱を検出する。ここでいう車両２の車線逸脱とは、車両２が現在走行中の車線を逸脱する現象である。ここでは、車線逸脱／車線復帰検出部１２ｆは、例えば、車両２の一部が現在走行中の車線の外側の領域に出た場合に車両２の車線逸脱を検出するものとして説明するが、これに限らない。車線逸脱／車線復帰検出部１２ｆは、例えば、車両２の所定割合部分（例えば半分以上）が車線の外側の領域に出た場合に車両２の車線逸脱を検出してもよいし、車両２の全体が車線の外側の領域に出た場合に車両２の車線逸脱を検出してもよい。
【００４２】
同様に、車線逸脱／車線復帰検出部１２ｆは、上記のように演算される当該車両２が走行中であって車線に対する当該車両２の相対位置に基づいて、車両２の車線復帰を検出する。ここでいう車両２の車線復帰とは、車両２が走行していた車線に復帰する現象である。ここでは、車線逸脱／車線復帰検出部１２ｆは、例えば、車両２の全体が当該車線の内側の領域に入った場合に車両２の車線復帰を検出するものとして説明するが、これに限らない。車線逸脱／車線復帰検出部１２ｆは、例えば、車両２の所定割合部分（例えば半分以上）が車線の内側の領域に入った場合に車両２の車線復帰を検出してもよいし、車両２の一部が車線の内側の領域に入った場合に車両２の車線復帰を検出してもよい。
【００４３】
ここで、車線逸脱／車線復帰検出部１２ｆは、さらに、車両２が搭載する方向指示器に関する情報に基づいて、車両２の車線からの逸脱を、車両２の車線の変更と区別して検出することで、車両２の車線逸脱をより精度よく行うことができる。この場合、車線逸脱／車線復帰検出部１２ｆは、車両情報取得部１２ｄによって取得された車両２の車両情報に基づいて、方向指示器の動作状態を判定する。車線逸脱／車線復帰検出部１２ｆは、車両２の逸脱方向と方向指示器の指示方向とが一致する場合には、車両２の車線逸脱とは切り分けて車両２の車線変更と判定し、車線逸脱としては検出しない。
【００４４】
警報制御部１２ｇは、スピーカ９を制御して種々の警報を出力させる部分である。警報制御部１２ｇは、車線逸脱／車線復帰検出部１２ｆによって車両２の車線逸脱が検出された場合にスピーカ９を制御して第１警報を出力させる。これにより、スピーカ９は、車線逸脱／車線復帰検出部１２ｆによって車両２の車線逸脱が検出された場合に第１警報を発する。ここで、第１警報は、典型的には、車両２の運転者に対して当該車両２が車線から逸脱していることを報知する警報である。スピーカ９は、車両２の車線逸脱が検出された場合に、第１警報として、車両２が車線から逸脱している旨の聴覚情報（例えば、「車線逸脱しております。」等の音声メッセージ）を出力する。
【００４５】
時間計測部１２ｈは、スピーカ９によって第１警報が発せられてから車線逸脱／車線復帰検出部１２ｆによって車両２の車線復帰が検出されるまでの時間を計測する部分である。時間計測部１２ｈは、スピーカ９によって第１警報が発せられた時点をＣＰＵ１２の計測タイマのカウント開始時点とし、車線逸脱／車線復帰検出部１２ｆによって車両２の車線復帰が検出された時点をカウント終了時点として、第１警報が発せられてから車線復帰が検出されるまでの時間を計測する。
【００４６】
そして、記録処理部１２ｅは、時間計測部１２ｈが計測した第１警報が発せられてから車線復帰が検出されるまでの時間を、車両２の車線逸脱時に発せられる第１警報に対する運転者の反応時間として反応時間記録部１１ｅに格納し記録させる。これにより、メモリ１１は、時間計測部１２ｈによって計測された、スピーカ９によって第１警報が発せられてから車線逸脱／車線復帰検出部１２ｆによって車両２の車線復帰が検出されるまでの時間を、第１警報に対する運転者の反応時間として記録する。メモリ１１は、記録日時、車両２の車両情報、位置情報、運転者識別情報、車両識別情報、カメラ３によって撮像された走行路面の画像データ等と共に、これらと関連付けて反応時間を記録する。
【００４７】
なお、時間計測部１２ｈは、スピーカ９によって第１警報が発せられてから車線逸脱／車線復帰検出部１２ｆによって車両２の車線復帰が検出されるまでの間に運転者の操作に応じた解除条件が成立した場合、第１警報が発せられてから当該解除条件が成立するまでの時間を計測するようにしてもよい。つまり、時間計測部１２ｈは、車線復帰が検出されるまでの間に運転者の操作に応じた解除条件が成立した場合には、スピーカ９によって第１警報が発せられた時点を計測タイマのカウント開始時点とし、当該解除条件が成立した時点をカウント終了時点として、第１警報が発せられてから解除条件が成立するまでの時間を計測する。運転者の操作に応じた解除条件は、カメラ３によって撮像された走行路面の画像データに基づいた車線復帰検出とは異なる条件として任意に設定されればよい。運転者の操作に応じた解除条件としては、例えば、運転者による操舵操作に応じた車両２の操舵角の変化に基づいた条件、運転者による制動操作に応じた車両２のブレーキ踏み込み量及び車両２の車速に基づいた条件等が挙げられる。時間計測部１２ｈは、車両情報取得部１２ｄによって取得された車両２の車両情報に基づいて解除条件が成立したか否かを判定し、解除条件が成立した場合には当該解除条件が成立した時点をカウント終了時点とする。そしてこの場合、記録処理部１２ｅは、時間計測部１２ｈが計測した第１警報が発せられてから解除条件が成立するまでの時間を反応時間として反応時間記録部１１ｅに格納し記録させる。これにより、メモリ１１は、時間計測部１２ｈによって計測された、スピーカ９によって第１警報が発せられてから解除条件が成立するまでの時間を、反応時間として記録する。
【００４８】
時間計測部１２ｈは、一例として、車両２の車両情報に基づいた車両２の操舵角の変化量が車線復帰分の変化量に相当する場合に運転者の操作に応じた解除条件が成立したものと判定し、当該解除条件が成立した時点をカウント終了時点とする。これにより、時間計測部１２ｈは、例えば、カメラ３によって撮像された走行路面の画像データに基づいた車線復帰検出では車線復帰を検出できなかったようなイレギュラーな場合であっても操舵角の変化量に基づいて車線復帰を推定し反応時間を計測しメモリ１１に記録させることができる。また、時間計測部１２ｈは、他の例として、車両２の車両情報に基づいたブレーキ踏み込み量が所定量以上となりかつ車速が０となった場合等に運転者の操作に応じた解除条件が成立したものと判定し、当該解除条件が成立した時点をカウント終了時点とする。これにより、時間計測部１２ｈは、例えば、車両２の車線逸脱時に発せられる警報に対する運転者の反応として、運転者がブレーキ操作を行い、車両２を停止させる操作を行った場合であっても当該警報に対する運転者の反応時間を計測しメモリ１１に記録させることができる。
【００４９】
また、本実施形態の警報制御部１２ｇは、時間計測部１２ｈによって計測された第１警報が発せられてからの経過時間が予め設定された第１所定時間を超えた場合にスピーカ９を制御して第１警報とは異なる第２警報を出力させる。これにより、スピーカ９は、時間計測部１２ｈによって計測された、スピーカ９によって第１警報が発せられてからの経過時間が、第１所定時間を超えた場合に第１警報とは異なる第２警報を発する。ここで、第２警報は、典型的には、第１警報よりも強い警報であり、車両２の運転者に対して当該車両２を走行していた車線に復帰させるように促すと共に休息を促す警報である。スピーカ９は、第１警報が発せられてからの経過時間が第１所定時間を超えた場合に、第２警報として、車線復帰、及び、休息を促す旨の聴覚情報（例えば、「車線復帰させた後、休息を取ってください。」等の音声メッセージ）を出力する。なお、第１所定時間は、例えば、実車評価等に応じて予め任意に設定されればよい。
【００５０】
イベント判定部１２ｉは、時間計測部１２ｈによって計測された時間に基づいて、車両２が車線から逸脱する車線逸脱イベントが発生したことを判定する部分である。イベント判定部１２ｉは、時間計測部１２ｈによって計測された、スピーカ９によって第１警報が発せられてからの経過時間が、予め設定された第２所定時間を超えた場合に、車線逸脱イベントが発生したと判定する。
【００５１】
そして、記録処理部１２ｅは、イベント判定部１２ｉによって車線逸脱イベントが発生したと判定された場合、第１警報が発せられてからの経過時間を反応時間記録部１１ｅに格納し記録させると共に、車線逸脱イベントが発生した旨の情報をイベント記録部１１ｆに格納し記録させる。これにより、メモリ１１は、時間計測部１２ｈによって計測された、スピーカ９によって第１警報が発せられてからの経過時間が、予め設定された第２所定時間を超えた場合に、当該経過時間を記録すると共に、車両２が車線から逸脱する車線逸脱イベントが発生した旨を記録する。なお、第２所定時間は、例えば、実車評価等に応じて予め任意に設定されればよく、典型的には、第１所定時間より長い時間として予め設定されるが、これに限らず、同等であってもよいし、第１所定時間より短くてもよい。
【００５２】
また、本実施形態の通信制御部１２ｂは、通信モジュール４を制御してメモリ１１に記録された情報を後方システム１００に送信する。ここでは、通信モジュール４は、少なくともメモリ１１に記録された反応時間に関する情報を後方システム１００に送信する。通信モジュール４は、さらに、運転者識別情報、車両２の車両情報、位置情報、車両２において発生したイベントに関する情報、画像データ等を後方システム１００に送信するようにしてもよい。
【００５３】
さらに、通信モジュール４は、通信制御部１２ｂの制御に応じて、後方システム１００から、当該後方システム１００に送信した反応時間に関する情報に基づいた指令情報を受信してもよい。当該指令情報は、後方システム１００に送信した反応時間に関する情報に応じて後方システム１００から自動送信させるものであってもよいし、当該反応時間に関する情報に応じて管理者等の操作にしたがって送信されるものであってもよい。そして、警報制御部１２ｇは、通信モジュール４によって受信された指令情報に基づいてスピーカ９を制御して第１警報とは異なる第３警報を出力させてもよい。これにより、スピーカ９は、通信モジュール４によって受信された指令情報に基づいて第１警報とは異なる第３警報を発する。ここで、第３警報は、典型的には、第１警報、第２警報よりも強い警報であり、例えば、車両２の運転者に対して車両２を停止させ休息を促す警報である。スピーカ９は、通信モジュール４によって受信された指令情報を受信した場合に、第３警報として、車両２を停止させ休息を促す旨の聴覚情報（例えば、「車両を止めて、休息を取ってください。」等の音声メッセージ）を出力する。なお、当該第３警報の内容は、後方システム１００における管理者等の操作に応じて適宜変更されてもよい。
【００５４】
次に、図２のフローチャートを参照して運転記録装置１における制御フローの一例を説明する。なお、ここでは、反応時間の記録に関する処理を中心に説明する。
【００５５】
まず、ＣＰＵ１２の車線逸脱／車線復帰検出部１２ｆは、車両２の車線逸脱が発生したか否かを判定する（ステップＳＴ１）。車線逸脱／車線復帰検出部１２ｆは、カメラ３によって撮像され画像データ取得部１２ａによって取得された画像データに基づいて車両２の車線逸脱を検出し、当該車線逸脱の発生を判定する。車線逸脱／車線復帰検出部１２ｆは、車両２の車線逸脱が発生していないと判定した場合（ステップＳＴ１：ＮＯ）、車両２の車線逸脱が発生したと判定されるまで当該ステップＳＴ１の判定を繰り返し実行する。
【００５６】
ＣＰＵ１２の警報制御部１２ｇは、車線逸脱／車線復帰検出部１２ｆによって車両２の車線逸脱が発生したと判定された場合（ステップＳＴ１：ＹＥＳ）、警報処理として、スピーカ９を制御して車両２が車線から逸脱している旨の第１警報を出力させる（ステップＳＴ２）。
【００５７】
次に、ＣＰＵ１２の時間計測部１２ｈは、計測タイマのカウントを開始する（ステップＳＴ３）。
【００５８】
次に、車線逸脱／車線復帰検出部１２ｆ、時間計測部１２ｈは、車両２の車線復帰が発生した、又は、解除条件が成立したか否かを判定する（ステップＳＴ４）。車線逸脱／車線復帰検出部１２ｆは、カメラ３によって撮像され画像データ取得部１２ａによって取得された画像データに基づいて車両２の車線復帰を検出し、当該車線復帰の発生を判定する。時間計測部１２ｈは、車両状態検出装置６によって検出され車両情報取得部１２ｄによって取得された車両２の車両情報に基づいて解除条件が成立したか否かを判定する。
【００５９】
時間計測部１２ｈは、車線逸脱／車線復帰検出部１２ｆによって車両２の車線復帰が発生したと判定された場合、あるいは、解除条件が成立したと判定した場合（ステップＳＴ４：Ｙｅｓ）、計測タイマのカウントを終了する。そして、記録処理部１２ｅは、当該計測タイマのタイマ値、言い換えれば、第１警報が発せられてから車線復帰が検出されるまでの時間、あるいは、第１警報が発せられてから解除条件が成立するまでの時間を、反応時間としてメモリ１１の反応時間記録部１１ｅに格納し記録させる（ステップＳＴ５）。
【００６０】
次に、ＣＰＵ１２の通信制御部１２ｂは、メモリ１１の反応時間記録部１１ｅに反応時間として記録されたタイマ値に関する情報を含む情報を後方システム１００にデータ送信し（ステップＳＴ６）、本制御フローを終了する。
【００６１】
時間計測部１２ｈは、車線逸脱／車線復帰検出部１２ｆによって車両２の車線復帰が発生していないと判定され、かつ、解除条件が成立していないと判定した場合（ステップＳＴ４：Ｎｏ）、計測タイマのタイマ値、言い換えれば、第１警報が発せられてからの経過時間が第１所定時間を超過したか否かを判定する（ステップＳＴ７）。ＣＰＵ１２は、時間計測部１２ｈによって計測タイマのタイマ値、言い換えれば、第１警報が発せられてからの経過時間が第１所定時間を超過していないと判定された場合（ステップＳＴ７：ＮＯ）、上述のステップＳＴ４の処理に移行し、以降の処理を繰り返し実行する。
【００６２】
警報制御部１２ｇは、時間計測部１２ｈによって計測タイマのタイマ値、言い換えれば、第１警報が発せられてからの経過時間が第１所定時間を超過したと判定された場合（ステップＳＴ７：ＹＥＳ）、これから行う第２警報の発報が１回目であるか否かを判定する（ステップＳＴ８）。
【００６３】
警報制御部１２ｇは、これから行う第２警報の発報が１回目であると判定した場合（ステップＳＴ８：ＹＥＳ）、スピーカ９を制御して車線復帰、及び、休息を促す旨のメッセージを含む第２警報を出力させる（ステップＳＴ９）。警報制御部１２ｇは、これから行う第２警報の発報が１回目ではないと判定した場合（ステップＳＴ８：ＮＯ）、当該ステップＳＴ９の処理をとばして次のステップＳＴ１０の処理に移行する。
【００６４】
次に、時間計測部１２ｈは、計測タイマのタイマ値、言い換えれば、第１警報が発せられてからの経過時間が第２所定時間を超過したか否かを判定する（ステップＳＴ１０）。ＣＰＵ１２は、時間計測部１２ｈによって計測タイマのタイマ値、言い換えれば、第１警報が発せられてからの経過時間が第２所定時間を超過していないと判定された場合（ステップＳＴ１０：ＮＯ）、上述のステップＳＴ４の処理に移行し、以降の処理を繰り返し実行する。
【００６５】
時間計測部１２ｈは、計測タイマのタイマ値、言い換えれば、第１警報が発せられてからの経過時間が第２所定時間を超過したと判定した場合（ステップＳＴ１０：ＹＥＳ）、タイマ値超過として計測タイマのカウントを終了すると共に、ＣＰＵ１２のイベント判定部１２ｉは、車線逸脱イベントが発生したと判定する。そして、記録処理部１２ｅは、当該計測タイマのタイマ値（第２所定時間を超過したタイマ値）をメモリ１１の反応時間記録部１１ｅに格納すると共に車線逸脱イベントが発生した旨をイベント記録部１１ｆに格納し記録させる。そして、通信制御部１２ｂは、メモリ１１の反応時間記録部１１ｅに記録されたタイマ値に関する情報、及び、イベント記録部１１ｆに記録された車線逸脱イベントが発生した旨の情報を含む情報を後方システム１００にデータ送信する（ステップＳＴ１１）。
【００６６】
次に、警報制御部１２ｇは、通信モジュール４等を介して後方システム１００から休息指令を含む指令情報を受信したか否かを判定する（ステップＳＴ１２）。ＣＰＵ１２は、警報制御部１２ｇによって休息指令を含む指令情報を受信していないと判定された場合（ステップＳＴ１２：ＮＯ）、本制御フローを終了する。
【００６７】
警報制御部１２ｇは、休息指令を含む指令情報を受信したと判定された場合（ステップＳＴ１２：ＹＥＳ）、スピーカ９を制御して車両２を停止させ休息を促す旨のメッセージを含む第３警報を出力させ（ステップＳＴ１３）、本制御フローを終了する。
【００６８】
上記のように構成された運転記録装置１によって記録された情報は、例えば、メモリ１１を介して後方システム１００等で読み出されて、車両２の運転者による運転操作に関する評価、車両２の運行管理に関する評価等の運転評価に用いることができる。図３は、後方システム１００の表示部等に表示される記録情報の出力の一例である。後方システム１００の表示部は、運転記録装置１によって記録された情報として、記録日時、車両２の車両情報、位置情報、運転者識別情報、車両識別情報、カメラ３によって撮像された走行路面の画像データ等と共にこれらと関連付けて反応時間を表示する。図３に例示する表示画面では、記録日時、車両識別情報（図３に示す「０１−２３」等の文字情報）、運転者識別情報（図３に示す「Ａ氏」等の文字情報）と共に、これらと関連付けて反応時間（図３に示す「５００」、「９００」、「３００」等の文字情報）が表示されている。また、図３に例示する表示画面では、車線逸脱イベントが発生した記録日時、車両、運転者、反応時間の欄にはハッチがかけられており、車線逸脱イベントが発生した状況を簡単に視認できるように表示されている。
【００６９】
以上で説明した運転記録装置１によれば、車両２の進行方向前方を撮像するカメラ３と、カメラ３によって撮像された車両２の走行路面の画像データに基づいて、車両２の車線からの逸脱、及び、車両２の車線への復帰を検出する車線逸脱／車線復帰検出部１２ｆと、車線逸脱／車線復帰検出部１２ｆによって車両２の車線からの逸脱が検出された場合に第１警報を発するスピーカ９と、スピーカ９によって第１警報が発せられてから車線逸脱／車線復帰検出部１２ｆによって車両２の車線への復帰が検出されるまでの時間を計測する時間計測部１２ｈと、時間計測部１２ｈによって計測された、スピーカ９によって第１警報が発せられてから車線逸脱／車線復帰検出部１２ｆによって車両２の車線への復帰が検出されるまでの時間を、第１警報に対する運転者の反応時間として記録するメモリ１１とを備える。
【００７０】
したがって、運転記録装置１は、車両２の車線逸脱が検出され警報が発せられてから当該車両２の車線復帰が検出されるまでの時間を計測し、これを反応時間として記録する。さらに言えば、運転記録装置１は、警報が発せられてから車線復帰が検出されるまでの時間を、車線逸脱時に発せられる警報に対して運転者が反応し実際に車両２をもとの車線に戻す車線復帰操作を行うまでの反応時間として記録する。この結果、運転記録装置１は、運転評価に供する新規の記録項目として、車線逸脱し警報が発せられてから車線復帰するまでの反応時間を記録することができるので、当該反応時間を用いてより詳細な運転評価を実現することができる。
【００７１】
例えば、運転記録装置１によって記録された情報を後方システム１００等で読み出して評価する際には、反応時間を、運転者の疲労度を表す指標としてみることができ、当該反応時間から運転者の疲労度を推定し、当該疲労度に基づいて、様々な運転評価を行うことができる。典型的には、反応時間が相対的に長くなるほど運転者の疲労度が相対的に蓄積されてきたものと推定することができる。そして、事業者の管理者等は、反応時間から推定される運転者の疲労度を踏まえて様々な運転評価を行うことができ、例えば、疲労度等に応じて適切に休息を確保するように促したり計画を立てたりすることができる。また、事業者の管理者等は、例えば、各車両、各運転者に対応する反応時間や当該反応時間から推定される運転者の疲労度を集計することで、運転者の運転傾向等を統計的に把握、解析することができると共に、運転操作に関する評価、車両２の運行管理に関する評価等に留まらず、これらの情報を運行管理や人員配置の作成等にも活用することができる。
【００７２】
ここでは、以上で説明した運転記録装置１によれば、メモリ１１は、車両２の運転者を識別する運転者識別情報と共に反応時間を記録する。したがって、運転記録装置１は、各運転者の反応時間、疲労度等を個別に評価することができ、例えば、健康状態や加齢による衰え等の個人差を踏まえて個別に運転評価をし、個別に安全運転指導等に活用することができる。
【００７３】
さらに、以上で説明した運転記録装置１によれば、スピーカ９は、時間計測部１２ｈによって計測された、スピーカ９によって第１警報が発せられてからの経過時間が、予め設定された第１所定時間を超えた場合に第１警報とは異なる第２警報を発する。したがって、運転記録装置１は、第１警報が発せられてからの経過時間が第１所定時間を超え、運転者の疲労度が蓄積されてきたものと推定できるような場合に、例えば、第２警報によって運転者に対して休息を促すことができる。
【００７４】
さらに、以上で説明した運転記録装置１によれば、メモリ１１は、時間計測部１２ｈによって計測された、スピーカ９によって第１警報が発せられてからの経過時間が、予め設定された第２所定時間を超えた場合に、当該経過時間を記録すると共に、車両２が車線から逸脱する車線逸脱イベントが発生した旨を記録する。したがって、運転記録装置１は、第１警報が発せられてからの経過時間が第２所定時間を超えた際に車線逸脱イベントが発生したことを記録することで、当該車線逸脱イベントが発生した事実をその後の運転評価に用いることができるので、この点でもより詳細な運転評価を実現することができる。
【００７５】
さらに、以上で説明した運転記録装置１によれば、メモリ１１に記録された反応時間に関する情報を、車両２の外部に設けられる後方システム１００に送信する通信モジュール４を備える。したがって、運転記録装置１は、メモリ１１に記録された反応時間を、車外に設けられた後方システム１００を介してリアルタイムに監視させ、運転管理させることができる。
【００７６】
さらに、以上で説明した運転記録装置１によれば、通信モジュール４は、後方システム１００から、当該後方システム１００に送信した反応時間に関する情報に基づいた指令情報を受信し、スピーカ９は、通信モジュール４によって受信された指令情報に基づいて第１警報とは異なる第３警報を発する。これにより、運転記録装置１は、後方システム１００からの指示にしたがって、例えば、第３警報によって運転者に対してリアルタイムに休息を促すことができる。
【００７７】
さらに、以上で説明した運転記録装置１によれば、時間計測部１２ｈは、スピーカ９によって第１警報が発せられてから車線逸脱／車線復帰検出部１２ｆによって車両２の車線への復帰が検出されるまでの間に運転者の操作に応じた解除条件が成立した場合、スピーカ９によって第１警報が発せられてから当該解除条件が成立するまでの時間を計測し、メモリ１１は、時間計測部１２ｈによって計測された、スピーカ９によって第１警報が発せられてから解除条件が成立するまでの時間を、反応時間として記録する。したがって、運転記録装置１は、例えば、カメラ３によって撮像された走行路面の画像データによっては車線復帰を検出することができないような場合の反応時間や、車線逸脱に対応して車両２を停止させたような場合の反応時間も計測し記録することができるので、この点でもより詳細な運転評価を実現することができる。
【００７８】
さらに、以上で説明した運転記録装置１によれば、車線逸脱／車線復帰検出部１２ｆは、車両２が搭載する方向指示器に関する情報に基づいて、車両２の車線からの逸脱を、車両２の車線の変更と区別して検出する。したがって、運転記録装置１は、車線逸脱と車線変更との区別を精度よく行うことができ、反応時間をより精度よく計測し記録することができるので、この点でもより詳細な運転評価を実現することができる。
【００７９】
なお、上述した本発明の実施形態に係る運転記録装置は、上述した実施形態に限定されず、特許請求の範囲に記載された範囲で種々の変更が可能である。
【００８０】
以上の説明では、運転記録装置１で記録した情報は、一般乗用旅客自動車運送事業、特定旅客自動車運送事業、貨物自動車事業等の種々の事業者の事務所等に配置された後方システム１００で用いられるものとして説明したがこれに限らず、事業者等にかかわらず、個人所有するＰＣに所定のアプリケーションをインストールして用いることもできる。
【００８１】
以上の説明では、警報部は、スピーカ９であるものとして説明したがこれに限られない。警報部は、視覚情報（図形情報、文字情報）を出力することで種々の警報を発する視覚情報表示装置であってもよい。視覚情報表示装置としては、車両２の車室内に設けられたディスプレイ、例えば、ナビゲーションシステムのディスプレイやメータの表示装置が流用されてもよい。この他、警報部は、例えば、車両２のハンドル振動、座席振動、ペダル反力などの触覚情報等を出力することで種々の警報を発する触覚情報出力装置等であってもよい。
【００８２】
以上で説明した検出部は、車線逸脱を検出する車線逸脱検出部と、車線復帰を検出する車線復帰検出部とが別個に構成されてもよい。
【００８３】
以上の説明では、ＣＰＵ１２は、車両２のＥＣＵと電気的に接続され、当該ＥＣＵと連携するものとして説明したが、当該車両２側のＥＣＵと一体で構成されてもよく、すなわち、運転記録装置の制御部は、車両２側のＥＣＵによって兼用されてもよい。
【００８４】
以上の説明では、警報部は、所定の条件下で第２警報、第３警報を発するものとして説明したがこれに限らない。また、記録部は、反応時間等に加えて車線逸脱イベントが発生した旨も記録するものとして説明したがこれに限らない。また、以上で説明した記録部は、メモリ１１にかえて、運転記録装置の筐体内部に内蔵されるハードディスク等であってもよい。また、以上で説明した第１所定時間、第２所定時間は、例えば、反応時間から推定される疲労度の評価等に応じて適宜変更、調整されてもよい。
【符号の説明】
【００８５】
１    運転記録装置
２    車両
３    カメラ（撮像部）
４    通信モジュール（通信部）
９    スピーカ（警報部）
１１    メモリ（記録部）
１２ｆ    車線逸脱／車線復帰検出部（検出部）
１２ｈ    時間計測部（計測部）
１００    後方システム（外部機器）
【図１】
0006346042.tif 000002
【図２】
0006346042.tif 000003
【図３】
0006346042.tif 000004